(57)【要約】【課題】光学部品の調整精度を向上させ、安定した性能を確保する光ヘッド装置を実現する。【解決手段】段部３２５を設けて第１および第２のプリズム３２１，３２２を貼り合わせてダイクロイックプリズム３２を構成する。ダイクロイックプリズム３２の上面３２３と段部３２５を基準面とした光学調整を行い、ダイクロイックプリズム３２をシャーシ１１に固定する。これにより、性能ばらつきが小さく精度のよい光ヘッド装置を実現することができる。【選択図】      図１
2004246978.tif 000002
【特許請求の範囲】
【請求項１】
第１の位置に取り付けられ、第１の波長のレーザ光を発生する第１の光源と、
前記第１の位置とは異なる第２の位置に取り付けられ、第２の波長のレーザ光を発生する第２の光源と、
前記第１の光源のレーザ光は直進させ、前記第２の光源のレーザ光は前記第１の光源のレーザ光と同方向に反射させる、少なくとも２つの光学部材を貼り合わせて構成した第１の光学部品と、
前記第１の光学部品経由で通過させるレーザを対物レンズに導く第２の光学部品と、
前記第１の光学部品の前記２つの光学部材の貼り合わせ面に形成した段部とを具備したことを特徴とする光ヘッド装置。
【請求項２】
レーザ光を発生する光源と、
前記光源が発生する行きのレーザ光は直進させ、帰りのレーザ光は反射させる、少なくとも２つの光学部材を貼り合わせて構成した第１の光学部品と、
前記第１の光学部品経由で通過されるレーザを対物レンズに導く第２の光学部品と、
前記第１の光学部品の前記２つの光学部材の貼り合わせ面に形成した段部とを具備したことを特徴とする光ヘッド装置。
【請求項３】
前記第１の光学部品は、前記第１の光源のレーザ光を直進させる第１のプリズムと前記第２の光源のレーザ光を反射させる第２のプリズムとを貼り合わせたものであることを特徴とする請求項１または２記載の光ヘッド装置。
【請求項４】
前記段部は前記第１および第２のプリズムの前記貼り合わせ部分の前記第１または第２の光源のレーザ光の通過に影響を与えない箇所に形成したことを特徴とする請求項３記載の光ヘッド装置。
【請求項５】
貼り合わせ時に第１と第２のプリズムに段部を付けて光学部品を形成するステップと、
前記第１のプリズムの上面を予め位置付けされた冶具に対して押し当てるステップと、
前記第１のプリズムを移動させ、前記冶具に対して前記段部を押し当てるステップと、
プリズムを通過する光照射の状態を確認しながら前記光学部品の光学的な調整を行うステップと、
前記調整が終了した時点で前記光学部品を固定するステップとからなることを特徴とする光ヘッド製造方法。
【請求項６】
少なくとも１個の光源からそれぞれ照射されるレーザ光を、対物レンズを介して光ディスクに照射させることにより、前記光ディスクに記録された情報の再生あるいは記録を行う光ヘッド装置と、
前記光ヘッド装置の光の出力状態を検出してトラッキング並びにフォーカシング制御信号を生成し、前記光ディスクを駆動する駆動部のトラッキング並びにフォーカシングを制御する制御部とを具備し、
前記光ヘッド装置は、請求項１または２に基づく前記光ヘッド装置により、再生あるいは記録を行うことを特徴とする光ディスクドライブ装置。
【発明の詳細な説明】
【０００１】
【発明の属する技術分野】
この発明は、ＣＤ（Ｃｏｍｐａｃｔ  Ｄｉｓｃ）やＤＶＤ−ＲＯＭ（Ｄｉｇｉｔａｌ  Ｖｅｒｓａｔｉｌｅ  Ｄｉｓｋ  Ｒｅａｄ  Ｏｎｌｙ  Ｍｅｍｏｒｙ）などの光ディスクに対して情報を記録／再生するための光ヘッド装置、光ヘッド製造方法、光ディスクドライブ装置に関する。
【０００２】
【従来の技術】
従来の光学部品であるプリズムの貼り合わせは、貼り合わせの所望の面に溝を設け、この溝を利用して部品位置決めするやり方で行われている。（例えば、特許文献１）
【０００３】
【特許文献１】
特開平１１−３２６７４１号公報（第３頁、図１〜図３）
【０００４】
【発明が解決しようとする課題】
上記した特許文献１の技術は、溝の幅の精度そのものが位置決めの精度となり、個別に作成するやり方ではコストがかかる問題がある。また、エッジ面などによる溝生成の精度を向上させるためには、それぞれの部材精度を高める必要があることからコストがかかる問題がある。
【０００５】
この発明の目的は、低コストで貼り合わせ部品の調整精度を向上させ、安定した性能を確保した光ヘッド装置、光ヘッド製造方法、光ディスクドライブ装置を提供することにある。
【０００６】
【課題を解決するための手段】
上記した課題を解決するために、この発明の光ヘッド装置は、第１の位置に取り付けられ、第１の波長のレーザ光を発生する第１の光源と、前記第１の位置とは異なる第２の位置に取り付けられ、第２の波長のレーザ光を発生する第２の光源と、前記第１の光源のレーザ光は直進させ、前記第２の光源のレーザ光は前記第１の光源のレーザ光と同方向に反射させる、少なくとも２つの光学部材を貼り合わせて構成した第１の光学部品と、前記第１の光学部品経由で通過させるレーザを対物レンズに導く第２の光学部品と、前記第１の光学部品の前記２つの光学部材の貼り合わせ面に形成した段部とを具備したことを特徴とする。
【０００７】
また、レーザ光を発生する光源と、前記光源が発生する行きのレーザ光は直進させ、帰りのレーザ光は反射させる、少なくとも２つの光学部材を貼り合わせて構成した第１の光学部品と、前記第１の光学部品経由で通過されるレーザを対物レンズに導く第２の光学部品と、前記第１の光学部品の前記２つの光学部材の貼り合わせ面に形成した段部とを具備したことを特徴とする。
【０００８】
この発明の光ヘッド製造方法は、貼り合わせ時に第１と第２のプリズムに段部を付けて光学部品を形成するステップと、前記第１のプリズムの上面を予め位置付けされた冶具に対して押し当てるステップと、前記第１のプリズムを移動させ、前記冶具に対して前記段部を押し当てるステップと、プリズムを通過する光照射の状態を確認しながら前記光学部品の光学的な調整を行うステップと、前記調整が終了した時点で前記光学部品を固定するステップとからなることを特徴とする。
【０００９】
この発明の光ディスクドライブ装置は、少なくとも１個の光源からそれぞれ照射されるレーザ光を、対物レンズを介して光ディスクに照射させることにより、前記光ディスクに記録された情報の再生あるいは記録を行う光ヘッド装置と、前記光ヘッド装置の光の出力状態を検出してトラッキング並びにフォーカシング制御信号を生成し、前記光ディスクを駆動する駆動部のトラッキング並びにフォーカシングを制御する制御部とを具備し、前記光ヘッド装置は、請求項１または２に基づく前記光ヘッド装置により、再生あるいは記録を行うことを特徴とする。
【００１０】
【発明の実施の形態】
以下、この発明の実施の形態について、図面を参照しながら詳細に説明する。
図１（ａ），（ｂ）は、それぞれこの発明の光ヘッド装置の一実施の形態として説明するための、図１（ａ）は平面図、図１（ｂ）は側面図であり、以下この両図を参照しながら説明する。
【００１１】
シャーシ１１の一方の側壁１２には、第１の光源ユニット２１が取り付けられている。この第１の光源ユニット２１は、波長６５０ｎｍのレーザビームを出射するＤＶＤ用の光源（第１の光源）である。
【００１２】
第１の光源ユニット２１内は、光ディスク４１からの反射光がホログラム３１により回折されて照射され、再生信号、フォーカシングエラー信号およびトラッキングエラー信号を得るために、図示しない光電変換を行なう光検出器が設けられている。
【００１３】
また、シャーシ１１の他方の側壁１３には、第２の光源ユニット２２が取り付けられている。この第２の光源ユニット２２は、波長７８０ｎｍのレーザ光を出射するＣＤ用の光源（第２の光源）である。
【００１４】
このように、光ヘッド装置は、第１の光源（ＤＶＤ用）と、第２の光源（ＣＤ用）とを有する。第１の光源ユニット２１から出射されたレーザ光は、シャーシ１１の平面１４上にほぼ平行な方向に放射され、ホログラム３１を介してダイクロイックプリズム３２に入射する。
【００１５】
ダイクロイックプリズム３２は、第１および第２のプリズム３２１，３２２を張り合わせて一体的に構成する。また第１のプリズム３２１の位置決め用の上面３２３と第２のプリズム３２２の位置決め用の上面３２４は、これらの高さを変えた位置決め用の段部３２５を形成する。この段部３２５は０．０５ｍｍ以上とする。
【００１６】
ダイクロイックプリズム３２は、図２に示すように第１のプリズム３２１の上面３２３に冶具に支持されたポール２０１〜２０３を、段部３２５に冶具に支持されたポール２０４をそれぞれ押し当てながら固着する。これにより、ダイクロイックプリズム３２は、第１および第２の光源ユニット２１，２２から照射されるそれぞれのレーザ光を、正確に通過させる位置に配置される。なお、ダイクロイックプリズム３２が固定された後のポール２０１〜２０４は取り除かれる。
【００１７】
第１の光源ユニット２１から出射されたレーザ光は、ダイクロイックプリズム３２を直進した後、コリメータレンズ３３で平行光となり、チルト補正素子３４およびλ／４板（偏光板）３５をそれぞれ介して、反射ミラー（プリズム）３６に入射する。
【００１８】
この反射ミラー３６で反射された光は、反射ミラー３６の上部に配置された対物レンズ３７に入射する。この対物レンズ３７で合焦された光は、対物レンズ３７の上部に位置する光ディスク４１の反射層（情報記録面）に照射される。
【００１９】
この光ディスク４１の情報記録面で反射された光は、対物レンズ３７および反射ミラー３６を介して、λ／４板３５に戻される。λ／４板３５を透過した光は、チルト補正素子３４を介してダイクロイックプリズム３２に入射する。
【００２０】
このダイクロイックプリズム３２に入射した反射光は、直進し、ホログラム３１により回折されて、第１の光源ユニット２１内の光検出器に入射され、前述した再生信号、フォーカシングエラー信号およびトラッキングエラー信号の生成に供される。
【００２１】
また、第２の光源ユニット２２から出射されたレーザ光は、シャーシ１１の平面１４上で、その平面１４にほぼ平行な方向に放射され、λ／２板３８を介してダイクロイックプリズム３２に入射する。
【００２２】
第２の光源ユニット２２から出射されたレーザ光は、ダイクロイックプリズム３２の第１および第２のプリズム３２１，３２２の貼り合わせ面３２６で反射されて方向変換され、コリメータレンズ３３に入射する。コリメータレンズ３３に入射したレーザ光は、平行光となり、チルト補正素子３４およびλ／４板（偏光板）３５をそれぞれ介して、反射ミラー（プリズム）３６に入射する。
【００２３】
この反射ミラー３６で反射された光は、反射ミラー３６の上部に配置された対物レンズ３７に入射する。この対物レンズ３７で合焦された光は、対物レンズ３７の上部に位置する光ディスク４１の反射層（情報記録面）に照射される。
【００２４】
この光ディスク４１の情報記録面で反射された光は、対物レンズ３７および反射ミラー３６を介して、λ／４板３５に戻される。λ／４板３５を透過した光は、チルト補正素子３４を介してダイクロイックプリズム３２に入射する。
【００２５】
このダイクロイックプリズム３２に入射された反射光は、直進し、ホログラム３１により回折されて、第１の光源ユニット２１内の光検出器に入射され、前述した再生信号、フォーカシングエラー信号およびトラッキングエラー信号の生成に供される。
【００２６】
なお、対物レンズ３７は、図示しないレンズホルダによって保持されている。レンズホルダは、複数本のワイヤの一端部で支持されており、フォーカス方向およびトラッキング方向に微動制御可能である。複数本のワイヤは、シャーシ１１に取り付けられるワイヤホルダによって保持されている。
【００２７】
また、レンズホルダには、例えば、小型のフォーカシング制御用永久磁石およびトラッキング制御用永久磁石が取り付けられている。これらの永久磁石に近接して、シャーシには、フォーカシング制御用ヨークコイルおよびトラッキング制御用ヨークコイルが配置されている。
【００２８】
そして、これらのフォーカシング制御用ヨークコイルおよびトラッキング制御用ヨークコイルに、それぞれフォーカシング制御信号およびトラッキング制御信号を供給することにより、対物レンズ３７をフォーカス制御方向およびトラッキング制御方向にそれぞれ微動制御することができる。
【００２９】
この実施の形態によれば、位置合わせされた冶具のポール２０１〜２０４に対してダイクロイックプリズム３２を押し当てた状態で固着する簡単に作業により、ダイクロイックプリズム３２の光学的な位置合わせが可能となる。
【００３０】
上記の実施の形態では、２個の光源ユニットを用いた例について説明したが、図３に示すように、１個の光源を用い光源から照射されたレーザ光を、λ／４板３５で偏向し、２枚のプリズム３２１１，３２２１を貼り合わせしたダイクロイックプリズム３２０を通過させて光ディスクに反射させた戻りのレーザ光を、再びλ／４板３５で偏光させるダイクロイックプリズム３２０の貼り合わせ面３２６１で反射させて図示しない光検出器で受光するものに適用してもよい。
【００３１】
この場合も、ダイクロイックプリズム３２０の貼り合わせ面３２６１を境にして段部を設け、この段部とプリズム３２１１の上面を冶具に押し当てることでダイクロイックプリズム３２０の位置決めを行うことができる。
【００３２】
次に、図４を参照してこの発明の光ヘッドの製造方法について説明する。
まず、図４（ａ）において、予め位置付けされた冶具に支持されたポール２０１〜２０３に対し、ダイクロイックプリズム３２の第１のプリズム３２１の上面３２３を、矢印方向に移動させ上面３２３の位置決めを行う。
【００３３】
次に、予め位置付けさせた冶具に支持されたポール２０４にダイクロイックプリズム３２を図４（ｂ）の矢印方向に移動させる。この移動は、図４（ｃ）に示すように段部３２５が当たる位置まで移動とする。
【００３４】
次に、第１および第２の光源ユニット２１，２２の光源として位置調整用のダミー用の光源を使用しながら、ポール２０４を中心にしてダイクロイックプリズム３２を、図４（ｄ）に示すように光ディスクに反射される光の状態を見ながら矢印方向に動かしながら調整する。
【００３５】
調整が終了すると、ダイクロイックプリズム３２をシャーシ１１に固定する。この工程が終了すると、ポール２０１〜２０４を外してダイクロイックプリズム３２を取り付けが終了する。
【００３６】
このように、上記した製造方法を用いることにより、ダイクロイックプリズム３２を所望の位置付けした状態で光学調整をしながら固定するという、簡単なプロセスによる光ヘッドの製造が可能となる。
【００３７】
次に、図５を参照しながら上述した光ヘッド装置を用いたこの発明の光ディスクドライブ装置の一実施の形態について説明する。
図５において、ＤＴは、記憶媒体としての前記光ディスク４１を保持するディスクテーブルである。このディスクテーブルＤＴは、サーボ回路により制御されるディスクモータにより回転駆動される。
【００３８】
符号１００は図１で説明した光ヘッド装置であり、ディスクテーブルＤＴに保持されて所定の速度で回転される光ディスク４１の情報記録面にレーザビームを照射するとともに、光ディスク４１の情報記録面で反射された反射レーザビームを取り込んで、その反射レーザビームの光強度に対応する電気信号を出力する。
【００３９】
光ヘッド装置１００は、ディスクテーブルＤＴに対して所定の位置関係に設けられたガイドレール６１に沿って、光ディスク４１の情報記録面に形成されたトラックの接線方向と直交する方向（トラッキング制御方向）に移動可能である。光ヘッド装置１００は、リニアモータによりガイドレール６１上を往復移動される。
【００４０】
光ヘッド装置１００の第１の光源ユニット２１に内蔵され、光ディスク４１からの反射光を受光する光検出器の出力信号は、信号処理回路７１、トラッキング制御回路７２およびフォーカシング制御回路７３に導かれる。信号処理回路７１は、光ディスク４１に記録されている情報を再生するための演算処理を実行する。
【００４１】
また、トラッキング制御回路７２は、光ディスク４１から得られた信号を演算処理してトラッキングエラー信号を生成し、前記トラッキング制御用ヨークコイルに供給するトラッキング制御信号を生成している。フォーカシング制御回路７３は、光ディスク４１から得られた信号を演算処理してフォーカシングエラー信号を生成し、前記フォーカシング制御用ヨークコイルに供給するフォーカシング制御信号を生成している。
【００４２】
今、第１の光源ユニット２１が動作状態にあるとすると、レーザ駆動回路７４に入力された制御信号に応じて、第１の光源ユニット２１のレーザ光のパワーを制御する。また、今、第２の光源ユニット２２が動作状態にあるとすると、レーザ駆動回路７４に入力された制御信号に応じて、第２の光源ユニット２２のレーザ光のパワーを制御する。
【００４３】
これにより、出力レーザ光のパワーあるいは光ディスク４１からの反射光の光量が、予め設定している規格上の範囲内に納まるように自動制御されることになる。
上記第１および第２の光源ユニット２１，２２では、それぞれ所定の波長の光ビーム（レーザビーム）を放射する半導体レーザ素子が用いられている。
また、対物レンズ３７は、前記レンズホルダにより、トラックの接線方向と直交する方向（光ディスク４１の半径方向）およびレーザビームの通過方向（光ディスク４１の情報記録面と直交する方向）のそれぞれに移動可能に支持されている。
【００４４】
光ディスク４１の半径方向は、トラッキング制御方向と呼ばれる。光ディスク４１の情報記録面と直交する方向は、フォーカシング制御方向と呼ばれる。
トラッキング制御回路７２は、トラッキングエラー信号からトラッキング制御信号を生成して、前記トラッキング制御用ヨークコイルに供給する。また、フォーカシング制御回路７３は、フォーカシングエラー信号からフォーカシング制御信号を生成して、前記フォーカシング制御用ヨークコイルに供給する。
【００４５】
全体の回路の動作タイミングや動作条件（パラメータ等）の切り換え制御は、システム制御部８１からの制御信号により設定される。また、この光ディスク装置には、電源装置、装置自体を動作させる際に読み出されるプログラムが記憶されているＲＯＭ（Ｒｅａｄ  Ｏｎｌｙ  Ｍｅｍｏｒｙ）、光ディスク４１から読み出されたデータまたはホストコンピュータ等から入力されるデータならびに制御データ等を一時的に記憶するＲＡＭ［Ｒａｎｄｏｍ  Ａｃｃｅｓｓ  Ｍｅｍｏｒｙ（作業メモリ）］等が設けられている。
【００４６】
この実施の形態によれば、プリズムの貼り合わせ面に段部を設けた光ヘッド装置によって、システム全体の光学性能のばらつきが減少した光ディスクドライブ装置を実現できる。
【００４７】
【発明の効果】
以上説明したように、この発明によれば、貼り合わせ光学部品の貼り合わせ部に段部を設け、光学部品の一部とその段部を基準にして光学的な調整することによって、性能ばらつきの小さい精度の向上を実現させることが可能となる。
【図面の簡単な説明】
【図１】この発明の光ヘッド装置について説明するための（ａ）は正面図、（ｂ）は側面図。
【図２】この発明の光ヘッド装置の位置決めについて説明するための斜視図。
【図３】この発明の光ヘッド装置が適用される他の例について説明するための正側面。
【図４】この発明の光ヘッド製造方法について説明するための説明図。
【図５】この発明の光ヘッド装置を光ディスクドライブ装置に適用した例について説明するための構成図。
【符号の説明】
１１…シャーシ
２１，２２…光源ユニット
３２，３２０…ダイクロイックプリズム
３２１，３２２，３２１１，３２２１…プリズム
３２３，３２４…上面
３２５…段部
３２６…貼り合わせ面
２０１〜２０４…ポール
４１…光ディスク
１００…光ヘッド装置
７２…トラッキング制御回路
７３…フォーカシング制御回路
８１…システム制御部
【図１】
2004246978.tif 000003
【図２】
2004246978.tif 000004
【図３】
2004246978.tif 000005
【図４】
2004246978.tif 000006
【図５】
2004246978.tif 000007